(57)【要約】【課題】  コピー制限に対処可能とし、かつ利便性を向上させる。【解決手段】  録画予約には、ＳＤカード４１が装着されていない場合、コピー禁止番組をＥＧＰ画面から選択不可とする。また、コピー禁止番組を録画する際、ＳＤカード４１が装着されていない場合、本体ＲＡＭ２１に暗号化して録画する。この場合、ムーブ機能により、後からＳＤカード４１に移動することが可能である。ＳＤカード４１が装着されている場合には、ＳＤカード４１に暗号化して録画する。【選択図】  図１
2006100959.tif 000002
【特許請求の範囲】
【請求項１】
番組毎に複製禁止か否かの情報が対応付けられた番組表データを受信する受信手段と、
この受信手段によって受信された番組表データを表示する表示手段と、
著作権保護機能を有する外部記録媒体が装着されているか否かを判断する判断手段と、
この判断手段によって著作権保護機能を有する外部記録媒体が装着されていないと判断されると、前記表示手段に対し、複製禁止となっている番組を差別化表示するよう制御する表示制御手段と
を具備したことを特徴とする番組表データ受信装置。
【請求項２】
外部記録媒体に録画すべき番組を予約する録画予約装置において、
番組毎に複製禁止か否かの情報が対応付けられた番組表データを受信する受信手段と、
著作権保護機能を有する外部記録媒体が装着されているか否かを判断する判断手段と、
この判断手段によって著作権保護機能を有する外部記録媒体が装着されていないと判断されると、前記受信手段によって受信された番組表データから複製が禁止されている番組を録画予約できないように制御する録画予約制御手段と
を具備したことを特徴とする録画予約装置。
【請求項３】
番組毎に複製禁止か否かの情報が対応付けられた番組表データを受信する受信ステップと、
この受信ステップにて受信された番組表データを表示部に表示させる表示ステップと、
著作権保護機能を有する外部記録媒体が装着されているか否かを判断する判断ステップと、
この判断ステップによって著作権保護機能を有する外部記録媒体が装着されていないと判断されると、前記表示部に対し、複製禁止となっている番組を差別化表示するよう制御する表示制御ステップと
からなることを特徴とする番組表データ表示方法。
【請求項４】
外部記録媒体に録画すべき番組を予約するための録画予約方法であって、
番組毎に複製禁止か否かの情報が対応付けられた番組表データを受信する受信ステップと、
著作権保護機能を有する外部記録媒体が装着されているか否かを判断する判断ステップと、
この判断ステップにて著作権保護機能を有する外部記録媒体が装着されていないと判断されると、前記受信ステップにて受信された番組表データから複製が禁止されている番組を録画予約できないように制御する録画予約制御ステップと
からなることを特徴とする録画予約方法。
【請求項５】
番組表データを受信する受信部と、番組表データを表示する表示部を備えたコンピュータが実行する番組表データ表示プログラムであって、
番組毎に複製禁止か否かの情報が対応付けられた番組表データを受信部に受信させる受信ステップと、
著作権保護機能を有する外部記録媒体が装着されているか否かを判断する判断ステップと、
この判断ステップによって著作権保護機能を有する外部記録媒体が装着されていないと判断されると、前記表示部に対し、複製禁止となっている番組を差別化表示するよう制御する表示制御ステップと
をコンピュータに実行させることを特徴とする番組表データ表示プログラム。
【請求項６】
番組表データを受信する受信部を備え、外部記録媒体に予約された番組を録画する機能を有するコンピュータに実行させる録画予約プログラムであって、
番組毎に複製禁止か否かの情報が対応付けられた番組表データを受信部に受信させる受信ステップと、
著作権保護機能を有する外部記録媒体が装着されているか否かを判断する判断ステップと、
この判断ステップにて著作権保護機能を有する外部記録媒体が装着されていないと判断されると、前記受信ステップにて受信された番組表データから複製が禁止されている番組を録画予約できないように制御する録画予約制御ステップと
をコンピュータに実行させることを特徴とする録画予約プログラム。
【発明の詳細な説明】
【技術分野】
【０００１】
本発明は、例えばＥＰＧ（電子番組表）を放送データに多重化して配信する放送システムに適用される番組表データ受信装置、録画予約装置、番組表データ表示方法、録画予約方法、番組表データ表示プログラム、および、録画予約プログラムに関する。
【背景技術】
【０００２】
従来より、テレビ受信装置を用いて受信される番組を、あるいは録画された番組を、受信装置の設置場所から離れた場所で、携帯電話などの端末で視聴することができるシステムが提案されている（例えば特許文献１）。
【０００３】
これに対して、近年、携帯電話においても、テレビ放送の受信機能を備え、別体で受信装置を必要とすることなく、それ自体でテレビ放送を視聴できるようになってきている。
【０００４】
また、一方で、テレビ放送のテジタル化も進んでいる。地上デジタルテレビ放送では、画質劣化がないことから、テレビ放送を受信する家庭用のテレビ受信機において不正コピーを防止するため、１度だけ他のメディアにコピー可能なコピーワンスや、他のメディアへのコピーを禁止するコピー禁止などを適用した番組が存在する。このため、コピーワンスやコピー禁止を実現するために、地上デジタルテレビ放送にはコピー制御信号を重畳させており、その機能を動作させるために、テレビ放送受信機には、ＣＡＳカードを挿入する必要があり、ＣＡＳカードを挿入していなければ、デジタルテレビ放送自体も受信できない。
【特許文献１】特開２００４−０９６３９４号公報
【発明の開示】
【発明が解決しようとする課題】
【０００５】
しかしながら、従来のテレビ放送を視聴可能な携帯電話や、車載テレビ受信機などの携帯型のテレビ受信機では、ＣＡＳカードを挿入するためのスペースが確保できない。このため、コピー制限に対処することができず、デジタルテレビ放送自体も視聴できなくなるという問題があった。
【０００６】
そこで本発明は、コピー制限に対処することができ、かつ利便性を向上させることができる放送録画装置、録画制御方法および録画制御プログラムを提供することを目的とする。
【課題を解決するための手段】
【０００７】
上記目的達成のため、請求項１記載の発明による番組表データ受信装置は、番組毎に複製禁止か否かの情報が対応付けられた番組表データを受信する受信手段と、この受信手段によって受信された番組表データを表示する表示手段と、著作権保護機能を有する外部記録媒体が装着されているか否かを判断する判断手段と、この判断手段によって著作権保護機能を有する外部記録媒体が装着されていないと判断されると、前記表示手段に対し、複製禁止となっている番組を差別化表示するよう制御する表示制御手段とを具備したことを特徴とする。
【０００８】
また、上記目的達成のため、請求項２記載の発明による録画予約装置は、外部記録媒体に録画すべき番組を予約する録画予約装置において、番組毎に複製禁止か否かの情報が対応付けられた番組表データを受信する受信手段と、著作権保護機能を有する外部記録媒体が装着されているか否かを判断する判断手段と、この判断手段によって著作権保護機能を有する外部記録媒体が装着されていないと判断されると、前記受信手段によって受信された番組表データから複製が禁止されている番組を録画予約できないように制御する録画予約制御手段とを具備したことを特徴とする。
【０００９】
また、上記目的達成のため、請求項３記載の発明による番組表データ表示方法は、番組毎に複製禁止か否かの情報が対応付けられた番組表データを受信する受信ステップと、この受信ステップにて受信された番組表データを表示部に表示させる表示ステップと、著作権保護機能を有する外部記録媒体が装着されているか否かを判断する判断ステップと、この判断ステップによって著作権保護機能を有する外部記録媒体が装着されていないと判断されると、前記表示部に対し、複製禁止となっている番組を差別化表示するよう制御する表示制御ステップとからなることを特徴とする。
【００１０】
また、上記目的達成のため、請求項４記載の発明による録画予約方法は、外部記録媒体に録画すべき番組を予約するための録画予約方法であって、番組毎に複製禁止か否かの情報が対応付けられた番組表データを受信する受信ステップと、著作権保護機能を有する外部記録媒体が装着されているか否かを判断する判断ステップと、この判断ステップにて著作権保護機能を有する外部記録媒体が装着されていないと判断されると、前記受信ステップにて受信された番組表データから複製が禁止されている番組を録画予約できないように制御する録画予約制御ステップとからなることを特徴とする。
【００１１】
また、上記目的達成のため、請求項５記載の発明による番組表データ表示プログラムは、番組表データを受信する受信部と、番組表データを表示する表示部を備えたコンピュータが実行する番組表データ表示プログラムであって、番組毎に複製禁止か否かの情報が対応付けられた番組表データを受信部に受信させる受信ステップと、著作権保護機能を有する外部記録媒体が装着されているか否かを判断する判断ステップと、この判断ステップによって著作権保護機能を有する外部記録媒体が装着されていないと判断されると、前記表示部に対し、複製禁止となっている番組を差別化表示するよう制御する表示制御ステップとをコンピュータに実行させることを特徴とする。
【００１２】
また、上記目的達成のため、請求項６記載の発明による録画予約プログラムは、番組表データを受信する受信部を備え、外部記録媒体に予約された番組を録画する機能を有するコンピュータに実行させる録画予約プログラムであって、番組毎に複製禁止か否かの情報が対応付けられた番組表データを受信部に受信させる受信ステップと、著作権保護機能を有する外部記録媒体が装着されているか否かを判断する判断ステップと、この判断ステップにて著作権保護機能を有する外部記録媒体が装着されていないと判断されると、前記受信ステップにて受信された番組表データから複製が禁止されている番組を録画予約できないように制御する録画予約制御ステップとをコンピュータに実行させることを特徴とする。
【発明の効果】
【００１３】
請求項１記載の発明によれば受信手段によって、受信手段により、番組毎に複製禁止か否かの情報が対応付けられた番組表データを受信し、判断手段により、著作権保護機能を有する外部記録媒体が装着されているか否かを判断し、表示制御手段により、著作権保護機能を有する外部記録媒体が装着されていないと判断されると、前記表示手段に対し、複製禁止となっている番組を差別化表示するよう制御するようにしたので、無駄な操作を排除することにより、コピー制限に対処することができるとともに、利便性を向上させることができるという利点が得られる。
【００１４】
また、請求項２記載の発明によれば、受信手段により、番組毎に複製禁止か否かの情報が対応付けられた番組表データを受信し、判断手段により、著作権保護機能を有する外部記録媒体が装着されているか否かを判断し、著作権保護機能を有する外部記録媒体が装着されていないと判断されると、録画予約制御手段により、前記受信手段によって受信された番組表データから複製が禁止されている番組を録画予約できないように制御するようにしたので、安易な外部記録媒体へのコピーを制限することができるとともに、利便性を向上させることができるという利点が得られる。
【００１５】
また、請求項３記載の発明によれば、受信ステップで、番組毎に複製禁止か否かの情報が対応付けられた番組表データを受信し、判断ステップで、著作権保護機能を有する外部記録媒体が装着されているか否かを判断し、著作権保護機能を有する外部記録媒体が装着されていないと判断されると、表示制御ステップで、前記表示部に対し、複製禁止となっている番組を差別化表示するよう制御するようにしたので、無駄な操作を排除することにより、コピー制限に対処することができるるとともに、利便性を向上させることができるという利点が得られる。
【００１６】
また、請求項４記載の発明によれば、受信ステップで、番組毎に複製禁止か否かの情報が対応付けられた番組表データを受信し、判断ステップで、著作権保護機能を有する外部記録媒体が装着されているか否かを判断し、著作権保護機能を有する外部記録媒体が装着されていないと判断されると、録画予約制御ステップで、前記受信ステップにて受信された番組表データから複製が禁止されている番組を録画予約できないように制御するようにしたので、安易な外部記録媒体へのコピーを制限することができ、コピー制限に対処することができるという利点が得られる。
【００１７】
また、請求項５記載の発明によれば、番組毎に複製禁止か否かの情報が対応付けられた番組表データを受信部に受信させる受信ステップと、著作権保護機能を有する外部記録媒体が装着されているか否かを判断する判断ステップと、この判断ステップによって著作権保護機能を有する外部記録媒体が装着されていないと判断されると、前記表示部に対し、複製禁止となっている番組を差別化表示するよう制御する表示制御ステップとをコンピュータに実行させるようにしたので、無駄な操作を排除することにより、コピー制限に対処することができるるとともに、利便性を向上させることができるという利点が得られる。
【００１８】
また、請求項６記載の発明によれば、番組毎に複製禁止か否かの情報が対応付けられた番組表データを受信部に受信させる受信ステップと、著作権保護機能を有する外部記録媒体が装着されているか否かを判断する判断ステップと、この判断ステップにて著作権保護機能を有する外部記録媒体が装着されていないと判断されると、前記受信ステップにて受信された番組表データから複製が禁止されている番組を録画予約できないように制御する録画予約制御ステップとをコンピュータに実行させるようにしたので、安易な外部記録媒体へのコピーを制限することができ、コピー制限に対処することができるという利点が得られる。
【発明を実施するための最良の形態】
【００１９】
以下、本発明の実施の形態について図面を参照して説明する。
【００２０】
Ａ．第１実施形態の構成
図１は、本発明の実施形態による地上デジタルテレビ受信機（携帯電話）１の構成を示すブロック図である。無線通信部１０は、無線によりアンテナ１１を介して音声やデータ（メールデータ）を送受し変調／復調したり、音声やデータを変調したりするなどの無線通信に必要な処理をする。チューナ１２は、無線によりアンテナ１３を介してＢＳ／地上デジタルテレビ放送を受信する。ＯＦＤＭ復調部１４は、地上デジタルテレビ放送の伝送技術に用いられているＯＦＤＭ（直交周波数分割多重）信号の復調を行う。
【００２１】
映像復号部１５は、ＯＦＤＭ復調部１４により復調された映像信号を復号する。音声復号部１６は、ＯＦＤＭ復調部１４により復調された音声信号を復号する。データ復号部１７は、地上デジタルテレビ放送とともに受信したデータを復号する。該データには、テレビ番組表データも含まれる。
【００２２】
ＲＯＭ２０は、ＣＰＵ２２に実行される各種プログラムなどを格納する。ＲＡＭ２１は、メールデータやアドレス帳、上記テレビ番組表データなどを記憶する。ＣＰＵ２２は、上記プログラムを実行し、当該装置の各部の動作を制御する。特に、本実施形態では、
後述する外部記録媒体であるＳＤカード４１が装着されているか否かを判断し、ＥＰＧ番組表から選択された録画予約番組を録画予約に設定するとき、ＳＤカード４１が装着されていない場合、前記番組表データの番組のうち、コピー禁止番組を選択不可となるようＥＰＧ番組表の表示を制御する。また、ＣＰＵ２２は、録画予約に設定された番組がコピー禁止番組である場合、当該録画される番組を暗号化する。さらに、ＣＰＵ２２は、録画予約に設定された番組の録画時に、ＳＤカード４１が装着されていない場合には、暗号化された番組をＲＡＭ２１に録画し、ＳＤカード４１が装着されている場合には、暗号化された番組を当該ＳＤカード４１に録画する。
【００２３】
表示ドライバ２３は、表示部２４の表示領域に相当するバッファを備え、表示部２４を駆動させる。表示部２４は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。キー入力部２５は、各種機能キーおよびテンキーなどからなる。マイク２６は、音声入力を行う。スピーカ２７は、音声通話での音声やテレビ受信時の音声などを出力する。メモリカードスロット４０には、ＳＤカード４１などの記録媒体が装着される。電源制御部４２は、通常、２次電池４４からの電力を各部に供給するとともに、ＡＣアダプタ４３接続された場合には、上記２次電池４４の充電制御を行うとともに、ＡＣアダプタ４３を介して商用電源からの電力を各部に供給する。
【００２４】
次に、図２は、ＳＤカード４１のセキュリティ構造を示す概念図である。ＳＤカード４１は、システム領域４１１、隠蔽領域４１２およびデータ領域４１３を有する。システム領域４１１は、当該カード自体の固有の識別情報であるメディアキーを格納している。隠蔽領域４１２は、地上デジタルテレビ放送で提供される番組（コンテンツ）の著作権保護用キーを格納している。また、データ領域４１３は、メディアキーと著作権保護用キーとともに、これらによって暗号化されたコンテンツを格納する。
【００２５】
次に、図３は、ＲＡＭ２１のメモリエリアの構成を示す概念図である。ＲＡＭ２１は、システム領域２１１、隠蔽領域２１２およびデータ領域２１３を有する。システム領域２１１は、当該地上デジタルテレビ受信機の動作に最低限必要な情報を格納する。隠蔽領域２１２は、地上デジタルテレビ放送で提供される番組（コンテンツ）の著作権保護用キーを格納している。データ領域２１３は、録画したテレビ番組のコンテンツ２１４、および録画予約データ２１５を格納する。録画されるコンテンツ２１４のうち、ＳＤカード４１へコピー可能なものは暗号化されず、コピー禁止のものは暗号化される。また、録画予約データ２１５は、録画日付、チャンネル、録画時間、番組名、ＥＰＧの番組ＩＤコードからなる。また、図示の記号「Ｓ」は、コピー禁止番組であること、すなわちＳＤカード４１にのみ録画可能な番組であることを示す。
【００２６】
Ｂ．実施形態の動作
次に、上述した実施形態の動作について説明する。
Ｂ−１．録画予約動作
【００２７】
まず、本実施形態による地上デジタルテレビ受信機１の録画予約時の動作について説明する。ここで、図４および図５は、本実施形態による地上デジタルテレビ受信機１の録画予約時の動作を説明するためのフローチャートである。また、図７および図８は、本実施形態による地上デジタルテレビ受信機１の表示画面例を示す模式図である。
【００２８】
まず、地上デジタルテレビ受信機１では、選択されているチャンネルのテレビ番組が受信され、図７（ａ）に示すように、表示部２４に表示されているものとする（ステップＳ１０）。テレビ番組の視聴画面には、番組表の表示へ移行するためのＥＧＰ機能キー２５１と後述するメニュー画面へ移行するためのメニュー機能キー２５２が表示されている。それぞれソフトボタンであり、キー入力部２５の所定の機能キーを押下することで、選択することができるようになっている。該視聴画面において、ＥＧＰ機能キー２５１が押下されたか否かを判断し（ステップＳ１２）、押下されなければ、メニュー機能キー２５２が押下されたか否かを判断する（ステップＳ１４）。そして、いずれの機能キーも押下されなければ、ステップＳ１０へ戻り、テレビ番組の視聴を継続する。
【００２９】
一方、ＥＰＧ機能キー２５１が押下された場合には、ＳＤカード４１が装着されているか否かを判断する（ステップＳ１６）。そして、ＳＤカード４１が装着されている場合には、図８（ａ）に示すように、コピー制御番組を含む全番組を表示するＥＰＧ画面を表示する（ステップＳ１８）。図示のＥＰＧの番組表において、（ＳＤ）が付された番組Ａ３が、コピー禁止番組であることを示している。一方、ＳＤカード４１が装着されていない場合には、図８（ｂ）に示すように、コピー禁止番組である番組Ａ３がかすれ表示３００とされたＥＰＧ画面が表示される（ステップＳ２０）。このかすれ表示３００の部分は、後述する録画番組の選択において、選択することができないようになっている。
【００３０】
いずれの場合も、ＥＰＧ画面には、テレビ番組の視聴画面に戻るためのＴＶ機能キー２５３と後述するメニュー画面へ移行するためのメニュー機能キー２５２が表示されている。それぞれソフトボタンであり、キー入力部２５の所定の機能キーを押下することで、選択することができるようになっている。該ＥＰＧ画面において、ＴＶ機能キー２５３が押下された否かを判断し（ステップＳ２２）、押下されなければ、メニュー機能キー２５２が押下されたか否かを判断する（ステップＳ２４）。そして、いずれの機能キーも押下されなければ、ステップＳ１６へ戻り、図８（ａ）または図（ｂ）の何れかに示すＥＰＧ画面の表示を継続する。一方、ＴＶ機能キー２５３が押下された場合には、ステップＳ１０へ戻り、図７（ａ）に示すテレビ番組の視聴画面に戻る。
【００３１】
また、メニュー機能キーが押下された場合には、図７（ｃ）に示すメニュー選択画面を表示する（ステップＳ２６）。該メニュー選択画面では、録画予約、録画変更、基本設定のいずれかの項目を選択することが可能になっている。それぞれ、キー入力部２５のテンキー「１」、「２」、「３」に対応している。また、該メニュー選択画面においても、テレビ番組の視聴画面に戻るためのＴＶ機能キー２５３とＥＰＧ画面に戻るための戻る機能キー２５４が表示されている。
【００３２】
メニュー選択画面において、テンキーが押下されたか否かを判断し（ステップＳ２８）、テンキー以外、すなわちＴＶ機能キー２５３または戻る機能キー２５４のいずれかが押下された場合には、それぞれ押下された機能キーに対応する処理へ進む（ステップＳ３０）。一方、メニュー選択画面の項目に対応するテンキーが押下された場合には、録画予約が選択されたか否か、すなわち「１」が押下された否かを判断する（ステップＳ３２）。そして、録画予約以外が選択された場合には、選択された項目に対応する処理へ進む（ステップＳ３４）。ここでは、録画予約以外については本発明の本質に関係ないので説明を省略する。
【００３３】
これに対して、録画予約が選択された場合には、図７（ｄ）に示す録画予約を行うための番組選択ＥＰＧ画面を表示する（ステップＳ３６）。該番組選択ＥＰＧ画面は、前述したように、ＳＤカード４１の装着の有無に応じて、図８（ａ）または図８（ｂ）に示すＥＰＧ画面が表示される。ユーザは、キー入力部２５のカーソル機能キー（図示略）の上下左右操作によって、ＥＰＧ画面から録画したい番組を選択する（ステップＳ３８）。このとき、ＳＤカード４１が装着されている場合には、ＥＰＧ画面で表示されている全ての番組の中から任意の番組を選択することが可能であるが、ＳＤカード４１が装着されていない場合には、コピー禁止番組の番組（かすれ表示３００）を選択することができないようになっている。
【００３４】
上記番組選択ＥＰＧ画面においても、テレビ番組の視聴画面に戻るためのＴＶ機能キー２５３、選択したテレビ番組を録画予約するための予約機能キー２５５、およびＥＰＧ画面に戻るための戻る機能キー２５４が表示されている。番組選択ＥＰＧ画面において、予約機能キー２５５が押下されたか否かを判断し（ステップＳ４０）、予約機能以外、すなわちＴＶ機能キー２５３または戻る機能キー２５４のいずれかが押下された場合には、それぞれ押下された機能キーに対応する処理へ進む（ステップＳ４２）。ここでは、予約以外については本発明の本質に関係ないので説明を省略する。
【００３５】
これに対して、予約が選択された場合には、録画予約する日時、チャンネル、番組内容、ＥＰＧの番組コードを、録画予約データ２１５として、ＲＡＭ２１のデータ領域２１３に記録する（ステップＳ４４）。そして、録画予約したテレビ番組がコピー禁止番組であるか否かを判断し（ステップＳ４６）、コピー禁止番組であれば、録画予約データ２１５の該当番組にＳＤカード４１のみで録画可能であることを示す録画フラグ「Ｓ」を記録する（ステップＳ４８）。次に、図７（ｅ）に示すように、選択されていたテレビ番組の予約が完了した旨を通知する予約完了画面を（数秒間）表示し（ステップＳ５０）、ステップＳ１０へ戻り、図７（ｆ）に示すようにテレビ番組の視聴画面に移行する。
【００３６】
Ｂ−２．録画動作
次に、本実施形態による地上デジタルテレビ受信機１の録画時の動作について説明する。ここで、図６は、本実施形態による地上デジタルテレビ受信機１の録画時の動作を説明するためのフローチャートである。
【００３７】
ＣＰＵ２２は、所定の時間間隔で録画予約データ２１５を監視し、録画時刻になったか否かを判断し、録画時刻になると、図６に示すフローチャートに従って録画動作を実行する。録画動作では、まず、録画時刻になった録画予約番組がコピー禁止番組であるか否かを判断する（ステップＳ６０）。そして、録画予約番組がコピー禁止番組でなければ、図３に示すように、ＲＡＭ２１のデータ領域２１３に暗号化せずに録画する（ステップＳ６２）。
【００３８】
一方、録画予約番組がコピー禁止番組である場合には、ＳＤカード４１が装着されているか否かを判断し（ステップＳ６４）、ＳＤカード４１が装着されていなければ、図３に示すように、ＲＡＭ２１のデータ領域２１３に暗号化して録画する（ステップＳ６６）。この場合、ムーブ機能（本体の録画ファイルを記録媒体にコピーした後、本体側の録画ファイルを消去する）により、後からＳＤカード４１に移動することが可能である。一方、ＳＤカード４１が装着されていれば、図２に示すように、ＳＤカード４１のデータ領域４１３に暗号化して録画する（ステップＳ６８）。
【００３９】
上述した第１実施形態によれば、録画予約時に、ＳＤカードが装着されていない場合には、コピー禁止番組を予約不可とし、無駄な操作を排除することにより、コピー制限に対処することが可能になるとともに、利便性を向上させることが可能となる。また、録画時に、ＳＤカードが装着されていない場合には、コピー禁止番組を本体内に暗号化して録画しておき、ムーブ機能により一度だけ外部記録媒体にコピー可能とすることにより、安易な外部記録媒体へのコピーを制限することが可能となり、コピー制限に対処することが可能となる。
【００４０】
なお、上述した実施形態においては、地上デジタルテレビ受信機について説明したが、具体的には、据え置きテレビ受信機、車載テレビ受信機、テレビ受信機能付き携帯電話に適用されてもよい。また、上述した実施形態では、外部記録媒体としてＳＤカードについて説明したが、これに限らず、コンパクトフラッシュ（登録商標）カード、ＭＭＣなどの他の記録媒体であってもよい。さらに、上述した実施形態では、ＳＤカードが装着されているか否を判別することで、コピー制限に対処したが、これに限定されず、外部記録媒体が所定の形式でフォーマットされているか、あるいはコピー制限機能を有するかなどを判別してコピー制限に対処するようにしてもよい。
【図面の簡単な説明】
【００４１】
【図１】本発明の実施形態による地上デジタルテレビ受信機（カメラ付き携帯電話）１の構成を示すブロック図である。
【図２】ＳＤカード４１のセキュリティ構造を示す概念図である。
【図３】ＲＡＭ２１のメモリエリアの構成を示す概念図である。
【図４】本実施形態による地上デジタルテレビ受信機１の録画予約時の動作を説明するためのフローチャートである。
【図５】本実施形態による地上デジタルテレビ受信機１の録画予約時の動作を説明するためのフローチャートである。
【図６】本実施形態による地上デジタルテレビ受信機１の録画時の動作を説明するためのフローチャートである。
【図７】本実施形態による地上デジタルテレビ受信機１の表示画面例を示す模式図である。
【図８】本実施形態による地上デジタルテレビ受信機１の表示画面例を示す模式図である。
【符号の説明】
【００４２】
１０  無線通信部
１１  アンテナ
１２  チューナ（受信手段）
１３  アンテナ（受信手段）
１４  ＯＦＤＭ復調部
１５  映像復号部
１６  音声復号部
１７  データ復号部（受信手段）
２０  ＲＯＭ
２１  ＲＡＭ
２２  ＣＰＵ（判断手段、表示制御手段、録画予約制御手段）
２３  表示ドライバ
２４  表示部（表示手段）
２５  キー入力部
２６  マイク
２７  スピーカ
４０  メモリカードスロット
４１  ＳＤカード（外部記録媒体）
４２  電源制御部
４３  ＡＣアダプタ
４４  ２次電池
【図１】
2006100959.tif 000003
【図２】
2006100959.tif 000004
【図３】
2006100959.tif 000005
【図４】
2006100959.tif 000006
【図５】
2006100959.tif 000007
【図６】
2006100959.tif 000008
【図７】
2006100959.tif 000009
【図８】
2006100959.tif 000010